(57)【特許請求の範囲】
【請求項１】
ＩＥＥＥ８０２．１１規格の上位の規格であってデータ伝送の帯域の保証機能を備えたＩＥＥＥ８０２．１１ｅ規格に対応する基地局機能を有する１台の無線ＬＡＮ装置と、前記ＩＥＥＥ８０２．１１ｅ規格に対応する端末機能を有する少なくとも１台の無線ＬＡＮ装置とから無線ネットワークを構成するための前記端末機能を有する無線ＬＡＮ装置であって、
自己の端末機能を有する無線ＬＡＮ装置と前記基地局機能を有する無線ＬＡＮ装置との間のデータ伝送の帯域保証後に、前記ＩＥＥＥ８０２．１１規格の信号、又は前記ＩＥＥＥ８０２．１１ｅ規格の信号のうち前記帯域保証のない信号を使用して、前記基地局機能を有する無線ＬＡＮ装置に対して基地局確認のための信号を出力する信号出力回路と、
前記基地局機能を有する無線ＬＡＮ装置が前記信号出力回路から出力された基地局確認信号に応答した確認応答の信号を送信したとき、この確認応答の信号を受けて、自己の端末機能を有する無線ＬＡＮ装置が前記基地局機能を有する無線ＬＡＮ装置に接続されていることを確認する確認回路とを備え、
前記信号出力回路は、
前記基地局機能を有する無線ＬＡＮ装置から前記ＩＥＥＥ８０２．１１ｅ規格の信号である帯域獲得応答信号を受けてデータ伝送の帯域が保証された時、設定時間の計測を開始する確認タイマーを有し、前記設定時間の計測の完了後に、前記ＩＥＥＥ８０２．１１ｅ規格の信号である帯域獲得要求信号を、前記基地局確認信号として、前記基地局機能を有する無線ＬＡＮ装置に出力する
ことを特徴とする端末機能を有する無線ＬＡＮ装置。
【請求項２】
ＩＥＥＥ８０２．１１規格の上位の規格であってデータ伝送の帯域の保証機能を備えたＩＥＥＥ８０２．１１ｅ規格に対応する基地局機能を有する１台の無線ＬＡＮ装置と、前記ＩＥＥＥ８０２．１１ｅ規格に対応する端末機能を有する少なくとも１台の無線ＬＡＮ装置とから無線ネットワークを構成するための前記端末機能を有する無線ＬＡＮ装置であって、
自己の端末機能を有する無線ＬＡＮ装置と前記基地局機能を有する無線ＬＡＮ装置との間のデータ伝送の帯域保証後に、前記ＩＥＥＥ８０２．１１規格の信号、又は前記ＩＥＥＥ８０２．１１ｅ規格の信号のうち前記帯域保証のない信号を使用して、前記基地局機能を有する無線ＬＡＮ装置に対して基地局確認のための信号を出力する信号出力回路と、
前記基地局機能を有する無線ＬＡＮ装置が前記信号出力回路から出力された基地局確認信号に応答した確認応答の信号を送信したとき、この確認応答の信号を受けて、自己の端末機能を有する無線ＬＡＮ装置が前記基地局機能を有する無線ＬＡＮ装置に接続されていることを確認する確認回路とを備え、
前記信号出力回路は、
前記基地局機能を有する無線ＬＡＮ装置から前記ＩＥＥＥ８０２．１１ｅ規格の信号である帯域獲得応答信号を受けてデータ伝送の帯域が保証された時、設定時間の計測を開始する確認タイマーを有し、前記設定時間の計測の完了後に、前記ＩＥＥＥ８０２．１１ｅ規格の信号であってデータ伝送の帯域幅が狭いダミー帯域獲得要求信号を、前記基地局確認信号として、前記基地局機能を有する無線ＬＡＮ装置に出力する
ことを特徴とする端末機能を有する無線ＬＡＮ装置。
【請求項３】
前記請求項１又は２記載の端末機能を有する無線ＬＡＮ装置において、
前記信号出力回路は、
前記基地局機能を有する無線ＬＡＮ装置から、前記確認応答信号として、帯域獲得応答信号を受けないとき、前記基地局機能を有する無線ＬＡＮ装置に対して、前記ＩＥＥＥ８０２．１１規格の信号である接続要求信号を出力する
ことを特徴とする端末機能を有する無線ＬＡＮ装置。
【請求項４】
前記請求項１又は２記載の端末機能を有する無線ＬＡＮ装置において、
前記基地局機能を有する無線ＬＡＮ装置に出力した前記基地局確認信号に応答して、前記基地局機能を有する無線ＬＡＮ装置からの所定の信号を受けたとき、この信号の受信でもって、自己の端末機能を有する無線ＬＡＮ装置が前記基地局機能を有する無線ＬＡＮ装置に接続されていることを確認する確認回路を備えた
ことを特徴とする端末機能を有する無線ＬＡＮ装置。
【請求項５】
前記請求項４記載の端末機能を有する無線ＬＡＮ装置において、
前記確認回路は、
前記基地局機能を有する無線ＬＡＮ装置からの所定の信号を受けた時、設定時間の計測を開始する確認タイマーを有し、この設定時間の計測の完了前に再度前記基地局機能を有する無線ＬＡＮ装置からの所定の信号を受けて前記設定時間の計測を開始することを繰り返す
ことを特徴とする端末機能を有する無線ＬＡＮ装置。
【請求項６】
前記請求項５記載の端末機能を有する無線ＬＡＮ装置において、
前記確認回路は、
前記確認タイマーが設定時間の計測を完了した時、前記基地局機能を有する無線ＬＡＮ装置に対して、前記ＩＥＥＥ８０２．１１規格の信号である接続要求信号を出力する
ことを特徴とする端末機能を有する無線ＬＡＮ装置。
【請求項７】
前記請求項４記載の端末機能を有する無線ＬＡＮ装置において、
前記基地局機能を有する無線ＬＡＮ装置から受ける所定の信号は、前記ＩＥＥＥ８０２．１１ｅ規格の信号のうち前記帯域保証のない信号である送信権授与信号である
ことを特徴とする端末機能を有する無線ＬＡＮ装置。
【請求項８】
前記請求項４記載の端末機能を有する無線ＬＡＮ装置において、
前記基地局機能を有する無線ＬＡＮ装置から受ける所定の信号は、前記ＩＥＥＥ８０２．１１ｅ規格の信号のうち帯域保証のある信号である帯域保証データである
ことを特徴とする端末機能を有する無線ＬＡＮ装置。
【請求項９】
請求項１又は請求項８に記載の端末機能を有する無線ＬＡＮ装置と、基地局機能を有する無線ＬＡＮ装置とを備えた無線ネットワークであって、
前記基地局機能を有する無線ＬＡＮ装置は、
起動時に、自己の基地局機能を有する無線ＬＡＮ装置と共に無線ネットワークを構成すべき全ての端末機能を有する無線ＬＡＮ装置に対して、切断要求信号を出力する切断要求信号出力回路を備えた
ことを特徴とする無線ネットワーク。
【発明の詳細な説明】
【技術分野】
【０００１】
本発明は、ストリーム配信等に使用する帯域制御技術を用いる無線機能を使用した無線ＬＡＮ装置、及び無線ネットワークに関する。
【背景技術】
【０００２】
近年、無線による高速データ伝送を実現するシステムとして標準化等が行われている無線パケット通信システムとして、ＩＥＥＥ８０２．１１無線ＬＡＮシステムがある。この無線ＬＡＮシステムにおいては１台の機器（親機）と最低１台の端末（子機）で１つの無線リンクを構成し、１つの無線リンクを構成する無線局はＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）によって１つの無線チャネルを共用している。
【０００３】
また、ＩＥＥＥ８０２．１１無線ＬＡＮシステムの拡張規格であるＩＥＥＥ８０２．１１ｅでは、従来のＩＥＥＥ８０２．１１における無線リンク接続に対して、データ伝送を帯域保証したリンク接続を追加することにより、リアルタイムデータの通信に必須な伝送路を優先的に確保することが可能になっている。
【０００４】
従来の帯域制御技術では、例えば、特許文献１に、基地局と端末との間で帯域制御のためのネゴシエーション終了後に、基地局が電源リセット等の不意のネットワーク障害が発生した場合における再確立に対して、障害検知機能とタイマーとによる再確立の制御を行うことが記載されている。
【特許文献１】特開２００１−２７５１６８号公報
【発明の開示】
【発明が解決しようとする課題】
【０００５】
しかしながら、特許文献１には前記技術について、具体的な障害検知方法の記載はない。
【０００６】
以下に、基地局（親機）と端末（子機）間における帯域制御のためのネゴシエーション終了後に、ネットワーク障害が発生した例について、図を用いて説明する。
【０００７】
図１（ａ）は基地局と端末１及び２とが無線によるネットワークを形成している概念図を示している。この図１（ａ）において、端末１はＩＥＥＥ８０２．１１ｅの規格に対応しており、端末２は対応していないものとする。また、同図（ｂ）は基地局、同図（ｃ）は端末１、同図（ｄ）は端末２の各リンク情報を示している。
【０００８】
図１６（ａ）に、端末が受信側である場合における基地局と端末１との通信シーケンスを示す。同図（ａ）において、時間の進む方向は上から下であり、基地局と端末１とがネットワーク接続完了後に、基地局が何らかの理由で一時的に電源ダウンする状態が発生して、基地局側のリンク情報がクリアされた場合が示されている。
【０００９】
先ず、端末１は起動後、接続要求２０１を基地局に対して送信し、基地局から接続応答２０２を受信することで接続が確立し、基地局側では端末１が追加されたことにより、リンク情報２００Ａが作成され、また、端末１側では接続が成功したことにより、リンク情報２００Ｂが作成される。
【００１０】
次に、端末１から帯域獲得要求信号が送信され、これに対して基地局から帯域獲得応答が端末１へ送信されることにより、端末は帯域保証を獲得できる。このとき、端末のリンク情報Ｂには帯域情報が追加される。そして、これにより、データ通信が開始される。
【００１１】
しかし、基地局が何らかの理由により、一時的に電源ダウンが発生した場合、基地局側でのリンク情報２００Ａがクリアされ、再起動後に正常に通信が再開されない問題が生じる。
【００１２】
すなわち、ＩＥＥＥ８０２．１１ｅ規格に対応した端末１がデータ伝送の帯域保証を獲得できた後は、その帯域保証があるために、端末１は基地局が許可した時以外にデータ送信することができず、リンク情報２００Ａがクリアされた基地局に対して正常に通信ができなくなる。
【００１３】
次に、図１７（ｂ）に、端末１が送信側であり、且つ帯域保証がある場合における基地局と前記端末１との通信シーケンスを示す。図１７（ｂ）では、同図（ａ）において説明したのと同様に、先ず、端末１は起動後、基地局との接続シーケンスにより接続を確立し、続いて、帯域獲得シーケンスを実行し、帯域を獲得する。ここで、各シーケンス実行の際に、前記と同様にリンク情報が書き込まれる。図１７（ｂ）の場合、端末１は送信側であり、基地局から送信権の授与を受け、データ通信が開始される。
【００１４】
しかし、基地局が何らかの理由により、一時的に電源ダウンが発生した場合、基地局側のリンク情報２００Ａがクリアされ、再起動後、端末は送信権が授与されず、前記図１７（ａ）の場合と同様に正常に通信が再開されない問題が生じる。
【００１５】
すなわち、上述の図１７（ａ）の例と同様に、帯域保証があるために、基地局が許可した時以外にデータ送信をすることができない端末１は、リンク情報２００Ａがクリアされた基地局と正常な通信ができなくなる。
【００１６】
本発明の目的は、帯域保証がある無線ネットワーク接続において、基地局が一時的に電源ダウンして、基地局側のリンク情報がクリアされた状況、すなわち、帯域保証がある無線ネットワーク接続に障害が生じたか否かについて、端末が判断できるようにすることにある。
【００１７】
更に、本発明の更なる目的は、前記の目的に加えて、無線ネットワーク接続に障害が生じたと端末が判断した場合には、基地局が再起動した後は、それまで基地局と帯域保証でデータ伝送を行っていた端末と基地局との無線ネットワークの再接続を行うようにすることにある。
【課題を解決するための手段】
【００１８】
前記目的を達成するために、本発明では、帯域保証後に基地局が電源ダウンすると、基地局側のリンク情報がクリアされるために、帯域保証されたデータ伝送はできないが、帯域保証のない（帯域保証の制限外の）信号は端末と基地局との間で送受信可能である点に着目し、この着目点から、端末から基地局に対して確認信号を送信して、基地局からの応答信号を受信したり、又は、帯域保証で使用される基地局からの信号の受信を確認することにより、帯域保証がある無線ネットワーク接続に障害が生じたか否かを端末が判断できるようにする。
【００１９】
また、本発明では、基地局が全ての端末に対してリンク情報を強制的にクリアさせる構成とすることにより、帯域保証がある無線ネットワーク接続に障害が生じたか否かを端末が判断できるようにする。
【００２０】
更に、本発明では、帯域保証がある無線ネットワーク接続に障害が生じたと端末が判断した場合には、基地局が電源ダウンしたと判断して、端末に再接続の要求信号を基地局に対して送信させることとする。
【００２１】
すなわち、請求項１記載の発明の端末機能を有する無線ＬＡＮ装置は、ＩＥＥＥ８０２．１１規格の上位の規格であってデータ伝送の帯域の保証機能を備えたＩＥＥＥ８０２．１１ｅ規格に対応する基地局機能を有する１台の無線ＬＡＮ装置と、前記ＩＥＥＥ８０２．１１ｅ規格に対応する端末機能を有する少なくとも１台の無線ＬＡＮ装置とから無線ネットワークを構成するための前記端末機能を有する無線ＬＡＮ装置であって、自己の端末機能を有する無線ＬＡＮ装置と前記基地局機能を有する無線ＬＡＮ装置との間のデータ伝送の帯域保証後に、前記ＩＥＥＥ８０２．１１規格の信号、又は前記ＩＥＥＥ８０２．１１ｅ規格の信号のうち前記帯域保証のない信号を使用して、前記基地局機能を有する無線ＬＡＮ装置に対して基地局確認のための信号を出力する信号出力回路と、前記基地局機能を有する無線ＬＡＮ装置が前記信号出力回路から出力された基地局確認信号に応答した確認応答の信号を送信したとき、この確認応答の信号を受けて、自己の端末機能を有する無線ＬＡＮ装置が前記基地局機能を有する無線ＬＡＮ装置に接続されていることを確認する確認回路とを備え、前記信号出力回路は、前記基地局機能を有する無線ＬＡＮ装置から前記ＩＥＥＥ８０２．１１ｅ規格の信号である帯域獲得応答信号を受けてデータ伝送の帯域が保証された時、設定時間の計測を開始する確認タイマーを有し、前記設定時間の計測の完了後に、前記ＩＥＥＥ８０２．１１ｅ規格の信号である帯域獲得要求信号を、前記基地局確認信号として、前記基地局機能を有する無線ＬＡＮ装置に出力することを特徴とする。
【００２２】
請求項２記載の発明は、ＩＥＥＥ８０２．１１規格の上位の規格であってデータ伝送の帯域の保証機能を備えたＩＥＥＥ８０２．１１ｅ規格に対応する基地局機能を有する１台の無線ＬＡＮ装置と、前記ＩＥＥＥ８０２．１１ｅ規格に対応する端末機能を有する少なくとも１台の無線ＬＡＮ装置とから無線ネットワークを構成するための前記端末機能を有する無線ＬＡＮ装置であって、自己の端末機能を有する無線ＬＡＮ装置と前記基地局機能を有する無線ＬＡＮ装置との間のデータ伝送の帯域保証後に、前記ＩＥＥＥ８０２．１１規格の信号、又は前記ＩＥＥＥ８０２．１１ｅ規格の信号のうち前記帯域保証のない信号を使用して、前記基地局機能を有する無線ＬＡＮ装置に対して基地局確認のための信号を出力する信号出力回路と、前記基地局機能を有する無線ＬＡＮ装置が前記信号出力回路から出力された基地局確認信号に応答した確認応答の信号を送信したとき、この確認応答の信号を受けて、自己の端末機能を有する無線ＬＡＮ装置が前記基地局機能を有する無線ＬＡＮ装置に接続されていることを確認する確認回路とを備え、前記信号出力回路は、前記基地局機能を有する無線ＬＡＮ装置から前記ＩＥＥＥ８０２．１１ｅ規格の信号である帯域獲得応答信号を受けてデータ伝送の帯域が保証された時、設定時間の計測を開始する確認タイマーを有し、前記設定時間の計測の完了後に、前記ＩＥＥＥ８０２．１１ｅ規格の信号であってデータ伝送の帯域幅が狭いダミー帯域獲得要求信号を、前記基地局確認信号として、前記基地局機能を有する無線ＬＡＮ装置に出力することを特徴とする。
【００２３】
請求項３記載の発明は、前記請求項１又は２記載の端末機能を有する無線ＬＡＮ装置において、前記信号出力回路は、前記基地局機能を有する無線ＬＡＮ装置から、前記確認応答信号として、帯域獲得応答信号を受けないとき、前記基地局機能を有する無線ＬＡＮ装置に対して、前記ＩＥＥＥ８０２．１１規格の信号である接続要求信号を出力することを特徴とする。
【００２４】
請求項４記載の発明は、前記請求項１又は２記載の端末機能を有する無線ＬＡＮ装置において、前記基地局機能を有する無線ＬＡＮ装置に出力した前記基地局確認信号に応答して、前記基地局機能を有する無線ＬＡＮ装置からの所定の信号を受けたとき、この信号の受信でもって、自己の端末機能を有する無線ＬＡＮ装置が前記基地局機能を有する無線ＬＡＮ装置に接続されていることを確認する確認回路を備えたことを特徴とする。
【００２５】
請求項５記載の発明は、前記請求項４記載の端末機能を有する無線ＬＡＮ装置において、前記確認回路は、前記基地局機能を有する無線ＬＡＮ装置からの所定の信号を受けた時、設定時間の計測を開始する確認タイマーを有し、この設定時間の計測の完了前に再度前記基地局機能を有する無線ＬＡＮ装置からの所定の信号を受けて前記設定時間の計測を開始することを繰り返すことを特徴とする。
【００２６】
請求項６記載の発明は、前記請求項５記載の端末機能を有する無線ＬＡＮ装置において、前記確認回路は、前記確認タイマーが設定時間の計測を完了した時、前記基地局機能を有する無線ＬＡＮ装置に対して、前記ＩＥＥＥ８０２．１１規格の信号である接続要求信号を出力することを特徴とする。
【００２７】
請求項７記載の発明は、前記請求項４記載の端末機能を有する無線ＬＡＮ装置において、前記基地局機能を有する無線ＬＡＮ装置から受ける所定の信号は、前記ＩＥＥＥ８０２．１１ｅ規格の信号のうち前記帯域保証のない信号である送信権授与信号であることを特徴とする。
【００２８】
請求項８記載の発明は、前記請求項４記載の端末機能を有する無線ＬＡＮ装置において、前記基地局機能を有する無線ＬＡＮ装置から受ける所定の信号は、前記ＩＥＥＥ８０２．１１ｅ規格の信号のうち帯域保証のある信号である帯域保証データであることを特徴とする。
【００２９】
請求項９記載の発明の無線ネットワークは、請求項１又は請求項８に記載の端末機能を有する無線ＬＡＮ装置と、基地局機能を有する無線ＬＡＮ装置とを備えた無線ネットワークであって、前記基地局機能を有する無線ＬＡＮ装置は、起動時に、自己の基地局機能を有する無線ＬＡＮ装置と共に無線ネットワークを構成すべき全ての端末機能を有する無線ＬＡＮ装置に対して、切断要求信号を出力する切断要求信号出力回路を備えたことを特徴とする。
【００３０】
以上により、本発明では、基地局の電源ダウンなどに起因して基地局側のリンク情報がクリアされた場合であっても、端末は基地局に対して送信可能な信号、すなわち、ＩＥＥＥ８０２．１１規格の信号、又は前記ＩＥＥＥ８０２．１１ｅ規格の信号のうち前記帯域保証のない信号を使用して、基地局確認信号を基地局に送信し、これに受信した基地局が確認応答信号を端末に返信すると、その端末は基地局との無線ネットワーク接続が良好で継続していると判断でき、一方、基地局が確認応答信号を返信しない場合には、端末は基地局との無線ネットワーク接続が切断したと判断することができる。
【００３１】
特に、本発明では、基地局との無線ネットワーク接続が切断したと端末が判断した際には、ＩＥＥＥ８０２．１１規格の信号である接続要求信号を端末が基地局に対して出力するので、基地局との無線ネットワークの再接続が可能になる。
【００３２】
また、本発明では、端末と基地局との間の帯域保証のある無線ネットワーク接続が確立した後は、端末が基地局からの所定の信号、例えば送信権授与信号や帯域保証データ（帯域保証された帯域でデータ伝送されたデータ）を受信すると、この受信でもって、基地局との無線ネットワーク接続は良好であると判断され、一方、基地局からの所定の信号の受信がない場合には、基地局との無線ネットワーク接続が切断されたと判断される。
【００３３】
特に、本発明では、基地局との無線ネットワーク接続が切断したと端末が判断した際には、ＩＥＥＥ８０２．１１規格の信号である接続要求信号を端末が基地局に対して出力するので、基地局との無線ネットワークの再接続が可能になる。
【００３４】
更に、本発明では、基地局は、起動時には、常に、無線ネットワークを構成すべき全ての端末に切断要求信号を出力するので、たとえ基地局が電源ダウンなどに起因してリンク情報がクリアされた場合であっても、前記切断要求信号を受けた端末では、この端末に残るリンク情報がクリアされる。従って、リンク情報がクリアされた端末は、そのリンク情報がクリアされたことに即座に対応して、基地局に対して無線ネットワークの再接続を要求することになる。
【発明の効果】
【００３５】
以上説明したように、本発明の端末機能を有する無線ＬＡＮ装置によれば、基地局の電源ダウンなどに起因して、端末との無線ネットワーク接続が切断された場合にも、端末はその無線ネットワーク接続の切断を正確に判断することが可能である。
【００３６】
特に、本発明によれば、基地局との無線ネットワーク接続が切断したと端末が判断した際には、ＩＥＥＥ８０２．１１規格の信号である接続要求信号を端末が基地局に対して出力するので、基地局との無線ネットワークの再接続が可能である。
【００３７】
また、本発明の基地局機能を有する無線ＬＡＮ装置によれば、起動時には、常に、無線ネットワークを構成すべき全ての端末に切断要求信号を出力するので、たとえ基地局が電源ダウンなどに起因してリンク情報がクリアされた場合であっても、前記切断要求信号を受けた端末が基地局に対して無線ネットワークの再接続を要求することが可能である。
【発明を実施するための最良の形態】
【００３８】
以下、本発明の実施形態を図面に基づいて説明する。
【００３９】
（第１の実施形態）
先ず、本発明の第１の実施形態について、図１〜図５を用いて説明する。
【００４０】
図１（ａ）は、ＩＥＥＥ８０２．１１ｅ規格に対応した基地局（親機）機能を有する１台の無線ＬＡＮ装置と、同様にＩＥＥＥ８０２．１１ｅ規格に対応した端末（子機）機能を有する１台の無線ＬＡＮ装置１と、ＩＥＥＥ８０２．１１ｅ規格には対応せずＩＥＥＥ８０２．１１規格のみに対応する端末（子機）機能を有する１台の無線ＬＡＮ装置２とから構成される無線ネットワークを示している。同図（ｂ）は基地局、同図（ｃ）は端末１、同図（ｄ）は端末２の各リンク情報を示している。
【００４１】
また、図２（ａ）に基地局と前記端末１との通信シーケンス図を示す。
【００４２】
先ず、起動後、図２（ａ）に示すように、端末１から基地局に対しての接続要求３０１に対する基地局からの接続応答３０２の接続シーケンスにより、無線リンクが確立する。このとき、端末１は、無線ネットワーク接続が確立した情報をリンク情報として記録する。
【００４３】
次に、端末１は、帯域保証を獲得するために、基地局に対して帯域獲得要求信号を送信し、それに対して基地局からの帯域獲得応答信号を受信することにより、帯域保証が獲得できる。この帯域獲得シーケンスにより帯域保証が獲得できた情報は、前記と同様に、端末１のリンク情報に追加される。これにより、データサービスが開始される。
【００４４】
データサービス開始後、端末１は、ＩＥＥＥ８０２．１１ｅ規格に固有の信号ではなく、ＩＥＥＥ８０２．１１規格に共通して用いられる信号である確認パケット（基地局確認のための信号）３１０を端末１内の信号出力回路１００から基地局に対して送信する。これにより、前記確認パケットを受けた基地局から、前記確認パケットと同様にＩＥＥＥ８０２．１１規格に共通して用いられる応答パケット（確認応答の信号）３２０が返信されてきた場合には、端末１内の確認回路１０１が基地局との接続が継続していると判断する。この動作確認の時間間隔は、信号出力回路１００が有するプローブ確認タイマー（確認タイマー）１０２が計測する設定時間で決定される。つまり、プローブ確認タイマー１０２は、端末１に前記応答パケット３２０が基地局から送信されてきた時点で前記設定時間の計測をスタートし、その設定時間の計測が完了すると、端末１が基地局確認のために前記確認パケット３１０を再度基地局に対して送信する。
【００４５】
図２（ｂ）は、前記図２（ａ）に対する端末１のフロー図を示す。
【００４６】
端末１は、起動後、ステップＳ１において、基地局との接続を試みる。これは、  図２（ａ）の接続シーケンスにおける接続要求３０１の送信動作に対応する。ここで、基地局からの接続応答３０２が返信されてきたかどうかをステップＳ２で確認し、応答が無く接続が失敗した場合は、ステップＳ１の接続処理をやり直す。また、応答が有り、接続が成功した場合は、次のステップＳ３へ移行する。
【００４７】
ステップＳ３では、端末１が基地局に対して帯域保証を獲得するための帯域獲得要求信号を送信し、ステップＳ４において、その応答である帯域獲得応答が基地局から返信されてきたか否かを判別する。このステップＳ３〜Ｓ４の動作は、帯域獲得が成功するまで繰り返される。この一連のステップは、図２（ａ）における帯域獲得シーケンスに対応している。
【００４８】
次に、ステップＳ４にて、帯域獲得が成功したと判別された場合、ステップＳ５の通常動作状態に移る。通常状態に入った後は、端末１は、ステップＳ６において、基地局との接続が保持されていることを確認するために、基地局に対して、確認パケットを送信する。これに対して、基地局から応答パケットの返信があれば、接続状態が保持されているとステップＳ７において判断し、ステップＳ５の通常動作状態に戻り、応答パケットの返信がなかった場合には、接続が切断されたと判断し、ステップＳ１に戻り、再度接続処理を行う。このステップＳ５〜Ｓ７の一連のステップは、図２（ａ）の動作確認シーケンスに対応している。
【００４９】
ここで、図３に、前記確認パケット及び応答パケット（Ｐｒｏｂｅ  Ｒｅｑｕｅｓｔ）のフォーマットを示す。ここに示すパケットのフォーマットは、ＩＥＥＥ８０２．１１ｅの上位規格であるＩＥＥＥ８０２．１１規格の通信機器が使用するフォーマットである。
【００５０】
また、図４（ａ）にＩＥＥＥ８０２．１１ＭＡＣのフレームフォーマットを、同図（ｂ）に、同図（ａ）のＩＥＥＥ８０２．１１ＭＡＣのフレームフォーマットの先頭２ｏｃｔｅｔｓのＦｒａｍｅ  Ｃｏｎｔｒｏｌ部の拡大図を示す。また、図４（ｃ）にＩＥＥＥ８０２．１１ＭＡＣフレーム種別を示す。
【００５１】
図４（ｃ）に示すＩＥＥＥ８０２．１１ＭＡＣフレーム種別は、ＭＡＣヘッダに含まれるＴｙｐｅフィールドとＳｕｂｔｙｐｅフィールドとの値によって判別することができる。
【００５２】
例えば、ｔｙｐｅが００で、Ｓｕｂｔｙｐｅが０１００であれば、確認パケットである。端末１は基地局に前記の確認パケットを送信し、基地局から応答パケットが返ってきた場合に、基地局が同じチャネルに存在することを確認できる。
次に基地局が何らかの原因によりパワーダウンした場合の例を図５を用いて説明する。
【００５３】
図５に示すように、先ず、起動後、端末は接続シーケンスと帯域獲得シーケンスを実行し、基地局との無線リンクを確立する。これらのシーケンスは、前記図２（ａ）において説明した動作と同じである。また、同様に、これらのリンク情報が、端末及び基地局それぞれにおいて記録される。
【００５４】
前記シーケンスの実行により、無線リンクが確立され、通常データサービスが開始した後、端末は、基地局との接続状態を確認するために、確認パケットを基地局に送信し、その応答パケットの返信の有無を確認する（図中、ＡＰ動作確認シーケンス）。
【００５５】
ここで、図５に示すように、基地局からの応答パケットの返信があった後に、何らかの理由により、基地局がパワーダウンし、その後再起動した場合、前記の接続時に記録された基地局の有するリンク情報はクリアされてしまう。
【００５６】
（第２の実施形態）
次に、本発明の第２の実施形態を、図６用いて説明する。
【００５７】
図６（ａ）は、端末が送信側であり、基地局からの送信権の受信をチェックすることにより、基地局との接続を確認する方法を、基地局と端末との通信シーケンスを用いて示した図である。
【００５８】
先ず、端末１は、起動後、接続シーケンス及び帯域獲得シーケンスを実行し、無線リンクを確立させる。また、各シーケンス完了時に、基地局及び端末がそれぞれのリンク情報を記録するのは、第１の実施形態において説明したのと同様である。
【００５９】
本実施形態では、前記帯域獲得シーケンスにおける基地局から送信される信号、すなわち、帯域保証の制限が無いＩＥＥＥ８０２．１１ｅ規格の信号である帯域獲得応答信号の受信があった後に、確認回路１０３が有する送信権受信チェックタイマー（確認タイマー）１０４を起動させる。
【００６０】
この送信権受信チェックタイマー１０４は、基地局から送信される送信権授与信号（所定の信号）４１０を受信したときにリセットされ、再スタートして設定時間の計測を開始する。確認回路１０３は、前記送信権受信チェックタイマー１０４が設定時間の計測の完了の前に前記送信権授与信号４１０を受信したときには、基地局と端末１との間の無線ネットワーク接続は継続されていると判断する。
【００６１】
そして、前記確認回路１０３は、送信権受信チェックタイマー１０４が設定時間の計測を完了すると、端末１は基地局に対してＩＥＥＥ８０２．１１規格の信号である接続要求信号を送信し、接続シーケンスを経てリンク情報を更新する。
【００６２】
ここで、図７に、前記送信権授与信号（ＱｏＳ  ＣＦ−Ｐｏｌｌ）のフォーマットを示す。ここに示すパケットのフォーマットは、ＩＥＥＥ８０２．１１ｅ規格の通信機器が使用するフォーマットであり、図４（ｃ）にＩＥＥＥ８０２．１１ＭＡＣフレーム種別の送信権授与に相当する。基地局は送信権授与信号のＡｄｄｒｅｓｓ１（あて先アドレス）及びＴＩＤ（Ｔｒａｆｆｉｃ  Ｉｄｅｎｔｉｆｉｅｒ）によって送信権を授与する端末及びその帯域保証データを指定することができる。
【００６３】
次に、図６（ｂ）に前記端末の動作フロー図を示す。
【００６４】
図６（ｂ）において、ステップＳ１〜Ｓ４までの接続シーケンス及び帯域獲得シーケンスの動作フローは、第１の実施形態において図２（ｂ）について説明した内容と同じであるため、ここでは、その説明を省略する。
【００６５】
この帯域獲得シーケンスにおいて、基地局からの帯域獲得応答を受信した場合、すなわち、ステップＳ４において、帯域獲得が成功したと判断した場合、端末１は、ステップＳ５において、送信権受信の有無により基地局の存在を確認するための期間を設定する送信権受信チェックタイマー１０４を起動させる。これにより、通常動作状態のステップＳ６に移る。
【００６６】
次に、端末１は、基地局からの送信権受信の有無をステップＳ７において判定し、受信があれば、基地局の存在が確認できたと判断して、ステップＳ８において送信権受信チェックタイマー１０４を停止させる。そして、ステップＳ５にて再度スタートさせる。また、ステップＳ７において、送信権の受信がなかったと判定した場合、送信権受信チェックタイマー１０４はそのまま計測を続ける。そして、ステップＳ９において前記タイマー１０４が満了したと判定した場合、基地局との接続を再度確立させるために、ステップＳ１に戻り、接続シーケンスを実行する。
【００６７】
前記のような構成を採用することにより、基地局から送信権の授与４１０がされ、基地局との接続が正常であると確認できる場合には、前記送信権受信チェックタイマー１０４を再設定し、スタートさせるので、所定の設定時間が満了するまでの間に、基地局が何らかの原因によりパワーダウンし、更に、再起動した場合においても、再度接続シーケンスを実行することにより、端末が基地局の一時的パワーダウンを確認せず通信を続ける不都合を回避することができる。
【００６８】
（第３の実施形態）
次に、図８を用いて、本発明の第３の実施形態について説明を行う。
【００６９】
図８（ａ）に、端末１が帯域保証を確立した受信側であって、基地局からの帯域保証のデータ受信状態をチェックすることにより、基地局の存在を確認する方法について、基地局と前記端末との通信シーケンス図を示す。
【００７０】
起動後、接続シーケンス及び帯域獲得シーケンスを実行し、基地局との無線リンクを確立させるまでの流れは、前記第１及び第２の実施形態において、図２（ａ）及び図６（ａ）に示したのと同じであり、ここでは、その説明を省略する。
【００７１】
帯域獲得シーケンスにおいて、基地局から送信される信号、すなわち、帯域保証の制限が無いＩＥＥＥ８０２．１１ｅ規格の信号である帯域獲得応答信号を受信した場合には、第２の実施形態と同様にタイマーを起動させる。しかし、本実施形態においては、このタイマーは、基地局からの帯域保証データ（所定の信号）の受信によりリセットされ、同時に再起動する帯域保証データ受信チェックタイマー（確認タイマー）１０４‘である点において、第２の実施形態と異なる。すなわち、本実施形態では、基地局からの帯域保証データを受信することにより、確認回路１０３’が、端末１と基地局との間の無線ネットワーク接続が継続されていることを確認する。
【００７２】
上述したように、帯域保証データを受信した場合に、基地局との無線ネットワーク接続の継続を確認ができるので、帯域保証データ受信チェックタイマー１０４‘は、この帯域保証データを受信した時にはリセットされて、再スタートする。そして、所定の設定時間のあいだに基地局からの帯域保証データの受信がない場合には、確認回路１０３’が、基地局と端末１との無線ネットワーク接続が切断されていると判断して、再度、基地局に対して、ＩＥＥＥ８０２．１１規格の信号である接続要求信号を送信し、接続シーケンスを実行し、更に、リンク情報を更新する。
【００７３】
ここで、図９に、前記帯域保証データ（ＱｏＳ  Ｄａｔａ）のフォーマットを示す。ここに示すパケットのフォーマットは、ＩＥＥＥ８０２．１１ｅ規格の通信機器が使用するフォーマットであり、図４（ｃ）にＩＥＥＥ８０２．１１ＭＡＣフレーム種別では大域保証データに分類される。
【００７４】
次に、図８（ｂ）に前記端末の動作フロー図を示す。
【００７５】
図８（ｂ）において、ステップＳ１〜Ｓ４までの接続シーケンス及び帯域獲得シーケンスの動作フローは、第１の実施形態において図２（ｂ）について説明した内容と同じであるため、ここでは、その説明を省略する。
【００７６】
この帯域獲得シーケンスにおいて、基地局からの帯域獲得応答を受信した場合、すなわち、ステップＳ４において帯域獲得が成功したと判断した場合、端末１は、ステップＳ５において帯域保証データ受信の有無により基地局の存在を確認するための期間を設定するための帯域保証データ受信チェックタイマー１０４‘を起動させる。これにより、通常動作状態のステップＳ６に移る。
【００７７】
次に、端末は、基地局からの帯域保証データ受信の有無をステップＳ７において判定し、受信があれば、基地局の存在が確認できたと判断して、ステップＳ８において帯域保証データ受信チェックタイマー１０４‘を停止させる。そして、ステップＳ５に戻り、再度スタートさせる。また、ステップＳ７において、帯域保証データの受信がなかったと判定した場合、帯域保証データ受信チェックタイマー１０４‘はそのまま計測を続ける。そして、ステップＳ９において前記タイマー１０４‘が満了したと判定した場合、基地局との接続を再度確立させるために、ステップＳ１に戻り、接続シーケンスを実行する。
【００７８】
前記のような構成を用いることにより、基地局から帯域保証データが送信され、基地局との接続が正常であると確認できる場合には、前記帯域保証データ受信チェックタイマー１０４‘を再設定し、スタートさせる。従って、所定の設定時間が満了するまでの間に、基地局が何らかの原因によりパワーダウンし、更に、再起動した場合においても、再度、接続シーケンスを実行することにより、端末１が基地局の一時的パワーダウンを確認せず通信を続ける不都合を回避することができる。
【００７９】
（第４の実施形態）
次に、図１０を用いて、本発明の第４の実施形態について説明を行う。
【００８０】
図１０（ａ）に、端末が定期的に帯域保証を確立することにより、基地局の存在を確認する方法について、基地局と前記端末との通信シーケンス図を示す。
【００８１】
起動後、接続シーケンス及び帯域獲得シーケンスを実行し、基地局との無線リンクを確立させるまでの流れは、第１及び第２の実施形態において、図２（ａ）及び図６（ａ）に示したのと同じであり、ここでは、その説明を省略する。
【００８２】
帯域獲得シーケンスにおいて、基地局からの帯域獲得応答信号を受信した場合には、タイマーを起動させて所定時間の計測を開始し、基地局からの帯域保証データの受信が繰り返された後、前記所定時間の計測が完了すると、再度、帯域獲得要求信号（基地局確認のための信号）を信号出力回路１０１‘から基地局に送信する。この帯域獲得要求信号を受けた基地局が、その帯域獲得要求信号に応答して帯域獲得応答信号（確認応答の信号）を送信し、この信号を端末１の確認回路１０１’が受信すると、確認回路１０１‘は、端末１と基地局との無線ネットワーク接続は継続されていると判断する。更に、前記確認回路１０１’は、その有する帯域獲得タイマー（確認用タイマー）１０２‘をリセットして、設定時間の計測をスタートさせ、その設定時間の計測が完了すると、再び、帯域獲得要求信号（基地局確認のための信号）を基地局に送信する。
【００８３】
本実施形態では、定期的に帯域獲得シーケンスを実行し、無線リンクを確立することにより、端末１と基地局との無線ネットワーク接続が継続しているか否かを判断する。前記端末１から送信される帯域獲得要求信号及び基地局から端末１に送信される帯域獲得応答信号は、帯域保証の制限が無いＩＥＥＥ８０２．１１ｅ規格の信号である。
【００８４】
ここで、図１１に、前記帯域獲得要求信号（ＡｄｄＴｓ  Ｒｅｑｕｅｓｔ）及び帯域獲得応答信号（ＡｄｄＴｓ  Ｒｅｓｐｏｎｓｅ）のフォーマットを示す。ここに示すパケットのフォーマットは、ＩＥＥＥ８０２．１１ｅ規格の通信機器が使用するフォーマットであり、図４（ｃ）にＩＥＥＥ８０２．１１ＭＡＣフレーム種別ではＡｃｔｉｏｎに分類される。端末は帯域獲得要求信号のＴＳＰＥＣフィールドによって、要求する帯域を基地局に指定することができる。また基地局は、帯域獲得要求信号に対する応答として帯域獲得応答信号のＳｔａｔｕｓＣｏｄｅフィールドによって、要求が受理、又は拒否されたことを端末に通知することができる。
【００８５】
このような構成を採用することにより、端末１が基地局から帯域獲得応答信号を受信した後に、端末１が次に帯域獲得要求信号を送信するまでの間に、基地局が何らかの原因によりパワーダウンし、再起動した場合においても、その後の端末１からの帯域獲得要求に対しては、基地局から帯域獲得応答がされないので、基地局と端末１との無線ネットワーク接続が継続していないことが確認できる。これにより、端末１は、再度接続シーケンス及び帯域獲得シーケンスを実行して、無線リンクを確立させることが可能である。
【００８６】
次に、図１０（ｂ）に前記端末１の動作フロー図を示す。
【００８７】
図１０（ｂ）において、ステップＳ１〜Ｓ４までの接続シーケンス及び帯域獲得シーケンスの動作フローは、第１の実施形態において図２（ｂ）について説明した内容と同じであるため、ここでは、その説明を省略する。
【００８８】
この帯域獲得シーケンスにおいて、基地局からの帯域獲得応答を受信した場合、すなわち、ステップＳ４において帯域獲得が成功したと判断した場合、端末１は、ステップＳ５において、次の帯域獲得要求信号を基地局に送信するまでの時間を計測するための帯域獲得タイマー１０２‘を起動させる。このステップＳ５を経て、ステップＳ６において、通常動作状態に入る。そして、ステップＳ５において起動させた帯域獲得タイマー１０２‘の所定の設定時間が満了したか否かを、ステップＳ７において判定し、満了した場合は、ステップＳ８において、次の帯域獲得処理（２）を行う。この処理により、帯域獲得が成功した場合は、更に次の帯域獲得要求の信号送信までの時間を計測するために、ステップＳ５に戻り、帯域獲得タイマー１０２‘を起動させる。一方、ステップＳ９において、帯域獲得が成功しなかったと判断された場合、すなわち、基地局から帯域獲得応答がなかった場合は、ステップＳ１に戻り、再度接続処理が行われる。
【００８９】
前記のような構成を用いることにより、端末１が基地局の一時的パワーダウンを確認せずに通信を続ける不都合を回避することができる。
【００９０】
本実施形態は、基地局がパワーダウンすることなく動作しているならば、端末１が帯域獲得要求信号の送信を繰り返す限り、必ず帯域獲得応答が基地局から送信される点に着目し、これを利用したものである。
【００９１】
また、図１０（ａ）に示す帯域獲得要求（１）及び帯域獲得要求（２）では、同じ内容（パラメータ）を使用することにより、帯域獲得要求を繰り返し実行しても、帯域には影響しない。
【００９２】
（第５の実施形態）
次に、図１２〜図１４を用いて、本発明の第５の実施形態について説明する。
【００９３】
図１２に、帯域保証が確立した通信を行った後に、端末１が定期的に最小限の帯域保証を確立することにより、基地局の存在を確認する方法について、基地局と前記端末１との通信シーケンス図を示す。
【００９４】
起動後、接続シーケンス及び帯域獲得シーケンスを実行し、基地局との無線リンクを確立させるまでの流れは、第１及び第２の実施形態において、図２（ａ）及び図６（ａ）に示したのと同じであり、ここでは、その説明を省略する。
【００９５】
帯域獲得シーケンスにおいて基地局からの帯域獲得応答信号を受信した場合には、タイマーを起動させて所定時間の計測を開始し、基地局からの帯域保証データの受信が繰り返された後、前記所定時間の計測が完了すると、最小限の帯域保証を獲得するためのダミー帯域獲得要求信号（基地局確認のための信号）を信号出力回路１０１“から基地局に送信する。このダミー帯域獲得要求信号を受けた基地局が、そのダミー帯域獲得要求信号に応答して帯域獲得応答信号（確認応答の信号）を送信し、この信号を端末１の確認回路１００”が受信すると、確認回路１０１“は、端末１と基地局との無線ネットワーク接続は継続されていると判断する。更に、前記確認回路１０１”は、その有するダミー帯域獲得タイマー（確認用タイマー）１０２“をリセットして、設定時間の計測をスタートさせ、その設定時間の計測が完了すると、再び、ダミー帯域獲得要求信号（基地局確認のための信号）を基地局に送信する。
【００９６】
本実施形態では、定期的にダミー帯域獲得シーケンスを実行し、無線リンクを確立することにより、端末１と基地局との無線ネットワーク接続が継続しているか否かを判断する。前記端末１から送信されるダミー帯域獲得要求信号及び基地局から端末１に送信される帯域獲得応答信号は、共に、帯域保証の制限が無いＩＥＥＥ８０２．１１ｅ規格の信号である。
【００９７】
本実施形態では、基地局からの帯域獲得応答信号の受信時から、端末１からの次のダミー帯域獲得要求信号の送信時までの時間間隔を前記ダミー帯域獲得タイマー（確認タイマー）１０２“により設定し、定期的に基地局との最小限の帯域保証の確立を実行することにより、図１２に示すような基地局（親機）の何らかの原因によるパワーダウンが前記ダミー帯域獲得タイマー１０２“の計測中に生じ、続いて再起動した場合には、ダミー帯域獲得タイマー１０２“の満了時の端末からのダミー帯域獲得要求に対する基地局の帯域獲得応答はされない。従って、端末１は、基地局との接続が切断されたことが確認でき、再度接続シーケンスを実行することができる。ここで、端末１から送信されるダミー帯域獲得要求信号及び基地局から送信される帯域獲得応答信号は、帯域保証の制限外で任意に送受信可能なＩＥＥＥ８０２．１１ｅ規格の信号である。
【００９８】
次に、図１３に前記端末の動作フロー図を示す。
【００９９】
図１３において、ステップＳ１〜Ｓ４までの接続シーケンス及び帯域獲得シーケンスの動作フローは、第１の実施形態において図２（ｂ）について説明した内容と同じであるため、ここでは、その説明を省略する。
【０１００】
この帯域獲得シーケンスにおいて、基地局からの帯域獲得応答を受信した場合、すなわち、ステップＳ４において帯域獲得が成功したと判断した場合、端末１は、ステップＳ５において、ダミー帯域獲得タイマー１０２“を起動させる。このステップＳ５を経て、ステップＳ６において、通常動作状態に入る。そして、ステップＳ５において起動させたダミー帯域獲得タイマー１０２“による所定の設定時間の計測が満了したか否かをステップＳ７において判定し、満了した場合は、ステップＳ８においてダミー帯域獲得処理を行う。この処理により、ダミー帯域獲得が成功した場合は、更に次のダミー帯域獲得要求の信号送信までの時間を計測するために、ステップＳ５に戻って、ダミー帯域獲得タイマー１０２“を起動させる。一方、ステップＳ９において、ダミー帯域獲得が成功しなかったと判断された場合、すなわち、基地局から帯域獲得応答がなかった場合は、ステップＳ１に戻って、再度接続処理が行われる。
【０１０１】
前記のような構成を用いることにより、端末１が基地局の一時的パワーダウンを確認せずに通信を続ける不都合を回避することができる。
【０１０２】
図１２のように端末１側から定期的に最小限の帯域保証を確立することにより、基地局と端末１との無線ネットワーク接続の継続を確認するので、ダミー帯域獲得タイマー１０２“を備えることにより、設定時間の間隔で、基地局と端末１とのの無線ネットワーク接続の継続を確認することが可能である。
【０１０３】
尚、本実施形態では、端末１が帯域保証を獲得した後に、ダミー帯域獲得要求信号を基地局に出力することを繰り返したが、帯域保証を獲得する前の段階からダミー帯域獲得要求信号を基地局に出力することを繰り返す構成を採用することは、可能である。この場合の端末１の動作フローを図１４に示す。
【０１０４】
図１４の動作フローを説明する。ステップＳ１〜Ｓ２の接続シーケンスが終了したのち、ステップＳ３においてダミー帯域獲得タイマーを起動させて、ダミー帯域獲得要求信号を設定時間毎に送信するよう構成する。その後、ステップＳ４、Ｓ５において帯域獲得シーケンスを組合せ、前記ダミー帯域獲得タイマー計測中に、帯域獲得シーケンスを実行する。ここで、基地局がダウンすることなく動作していれば、帯域獲得は帯域獲得シーケンスを繰り返すうちに成功し、この場合、基地局との無線ネットワーク接続が確認されるので、ダミー帯域獲得タイマーはステップＳ６において停止しても良く、又は続行しても良い。一方、帯域獲得シーケンスを繰り返し実行しても帯域獲得が成功しない場合は、基地局との無線ネットワーク接続が切断されたと判断して、ステップＳ３において起動させたダミー帯域獲得タイマーの計測時間満了時に、再度接続処理を行う（このステップについては図示せず）。
【０１０５】
（第６の実施形態）
次に、図１５を用いて、第６の実施形態について説明する。
【０１０６】
図１５（ａ）は、基地局（親機）の再起動時には、基地局が切断パケットを送信する場合のシーケンス図を示している。
【０１０７】
基地局の起動後、接続シーケンス及び帯域獲得シーケンスを実行し、通常動作状態に入った後、基地局が何らかの原因によりパワーダウンし、続いて再起動したところまでの流れは、第１の実施形態で示した図５（ａ）と同様であるので、ここでは、その説明を省略する。
【０１０８】
本実施形態では、基地局がパワーダウンし、続いて再起動した際、基地局に備える切断パケット出力回路（切断要求信号出力回路）１０５が全ての端末に対して切断パケット（切断要求信号）を送信し、端末のリンク情報９００をクリアにさせる点において、第１の実施形態と異なる。
【０１０９】
ここで、図１５に、前記切断パケットのフォーマットを示す。ここに示す切断パケットのフォーマットは、ＩＥＥＥ８０２．１１規格の通信機器が使用するフォーマットである。
【０１１０】
前記基地局からの切断パケットを受けた全ての端末は、再接続シーケンスを実行することができ、基地局の一時的パワーダウンを確認せず通信を続ける不都合を回避することができる。
【０１１１】
図１５（ｂ）に基地局（親機）のフロー図を、また、同図（ｃ）に端末側のフロー図を示す。
【０１１２】
図１５（ｂ）において、基地局は、起動時には、ステップＳ１において、先ず、基地局を中心とした１つのグループであるＢＢＳ（Ｂａｓｉｃ  Ｓｅｒｖｉｃｅ  Ｓｅｔ）内の全端末に対して切断パケットを送信する。そして、ステップＳ２の通常動作状態に入ることを示す。
【０１１３】
また、図１５（ｃ）において、端末は、起動後、ステップＳ１及びＳ２からなる接続シーケンスを実行した後、更にステップＳ３及びＳ４からなる帯域獲得シーケンスを実行し、ステップＳ５の通常状態に入ることを示す。そして、ステップＳ６において、基地局からの切断パケットの受信の有無を判定し、受信しないときは、ステップＳ５の通常状態を維持し、一方、受信した場合には、図１５（ｂ）に示したように、基地局が何らかの原因によりパワーダウンして再起動したと判断し、ステップＳ１に戻って、再接続シーケンスを実行する。
【産業上の利用可能性】
【０１１４】
以上説明したように、本発明は、ＩＥＥＥ８０２．１１ｅ規格に対応した基地局機能を有する無線ＬＡＮ装置と、同規格に対応した端末機能を有する無線ＬＡＮ装置とにより無線ネットワークを構成する場合に、その両無線ＬＡＮ装置間でのデータ伝送の帯域保証後において、基地局機能を有する無線ＬＡＮ装置の予期せぬ電源遮断などに起因して無線ネットワーク接続の切断が生じた場合にも、端末機能を有する無線ＬＡＮ装置がその無線ネットワーク接続の切断を的確に判断でき、更には、その無線ネットワークの再接続を即座に行うことが可能であるので、ストリーム配信等を使用する帯域制御技術を要する無線ネットワークの技術分野に有用である。
【図面の簡単な説明】
【０１１５】
【図１】（ａ）は基地局と２台の端末１及び２とからなる無線ネットワークの概念図、同図（ｂ）は基地局の有するリンク情報テーブル、同図（ｃ）は端末１が有するリンク情報テーブル、同図（ｄ）は端末２が有するリンク情報テーブルの図である。
【図２】（ａ）は、本発明の第１の実施形態において、確認パケットによる基地局確認シーケンスを示した図、同図（ｂ）は確認パケットによる基地局確認フローを示す図である。
【図３】ＩＥＥＥ８０２．１１規格の確認パケット（Ｐｒｏｂｅ  Ｒｅｑｕｅｓｔ）のフォーマット図である。
【図４】（ａ）は、ＩＥＥＥ８０２．１１ＭＡＣのフレームフォーマット図、同図（ｂ）はＩＥＥＥ８０２．１１ＭＡＣのフレームコントロールのフォーマット図、同図（ｃ）はＩＥＥＥ８０２．１１ＭＡＣのフレームの種別図である。
【図５】本発明の第１の実施形態における基地局のダウン中に、端末が確認パケットを送信できなかった場合のシーケンス図である。
【図６】（ａ）は本発明の第２の実施形態において、送信権受信チェックタイマーを用いた基地局確認シーケンス図、同図（ｂ）は送信権受信チェックタイマーを用いた基地局確認フロー図である。
【図７】送信権授与信号（ＱｏＳ  ＣＦ−Ｐｏｌｌ）のフォーマットを示す図である。
【図８】（ａ）は本発明の第３の実施形態において、帯域保証データ受信チェックタイマーを用いた基地局確認シーケンス図、同図（ｂ）は帯域保証データ受信チェックタイマーを用いた基地局確認フロー図である。
【図９】帯域保証データ（ＱｏＳ  Ｄａｔａ）のフォーマットを示す図である。
【図１０】（ａ）は本発明の第４の実施形態において、定期的な帯域獲得タイマーを用いた基地局確認シーケンス図、同図（ｂ）は定期的な帯域獲得タイマーを用いた基地局確認フロー図である。
【図１１】帯域獲得要求信号（ＡｄｄＴｓ  Ｒｅｑｕｅｓｔ）及び帯域獲得応答信号（ＡｄｄＴｓ  Ｒｅｓｐｏｎｓｅ）のフォーマットを示す図である。
【図１２】本発明の第５の実施形態における定期的なダミー帯域獲得タイマーを用いた基地局確認シーケンス図である。
【図１３】本発明の第５の実施形態における定期的なダミー帯域獲得タイマーを用いた基地局確認フロー図である。
【図１４】本発明の第５の実施形態における定期的な帯域獲得タイマーとダミー獲得タイマーとを用いた基地局確認フロー図である。
【図１５】（ａ）は本発明の第６の実施形態において、基地局が切断パケットを用いたシーケンス図、同図（ｂ）は基地局が基地局切断パケットを用いた場合の基地局のフロー図、同図（ｃ）は、基地局が基地局切断パケットを用いた場合の端末のフロー図である。
【図１６】切断パケットのフォーマットを示す図である。
【図１７】（ａ）は、端末が受信側である場合における従来のシーケンス図、同図（ｂ）は、端末が送信側であり、且つ帯域保証ありの場合における従来のシーケンス図である。
【符号の説明】
【０１１６】
１００              信号出力回路
１０１、１０３      確認回路
１０２              確認タイマー
１０２‘            帯域獲得タイマー（確認タイマー）
１０２“            ダミー帯域獲得タイマー（確認タイマー）
１０４              送信権受信チェックタイマー（確認タイマー）
１０４‘            帯域保証データ受信チェックタイマー（確認タイマー）
１０５              切断パケット出力回路（切断要求信号出力回路）
２０１、３０１      接続要求
２０２、３０２      接続応答
２００Ａ、２００Ｂ、
９００    リンク情報
３１０              確認パケット
３２０              応答パケット
４１０              送信権授与信号（所定の信号）
【図１】
0004637832.tif 000002
【図２】
0004637832.tif 000003
【図３】
0004637832.tif 000004
【図４】
0004637832.tif 000005
【図５】
0004637832.tif 000006
【図６】
0004637832.tif 000007
【図７】
0004637832.tif 000008
【図８】
0004637832.tif 000009
【図９】
0004637832.tif 000010
【図１０】
0004637832.tif 000011
【図１１】
0004637832.tif 000012
【図１２】
0004637832.tif 000013
【図１３】
0004637832.tif 000014
【図１４】
0004637832.tif 000015
【図１５】
0004637832.tif 000016
【図１６】
0004637832.tif 000017
【図１７】
0004637832.tif 000018